(57)【特許請求の範囲】
【請求項１】
以下の構成を備えた読書スタンド
（１）書見台裏面のほぼ中央部に、書見台の左右方向に装着される装着孔を有するホルダーを形成する。
（２）装着孔に装着される平行部Ａと、平行部Ａと平行をなし、かつ平行部Ａよりも長尺になる平行部Ｂ、および両平行部の間が端部で垂直に連なる、断面が円形のパイプからなるコ字状スタンドを形成する。
（３）装着孔に装着された平行部Ａの装着位置を変え、平行部Ｂの端部を書見台の側方に突出させ、突出した端部を読書スタンドのアームに保持する。
【発明の詳細な説明】
【技術分野】
【０００１】本発明は、読書スタンドに関する。
【背景技術】
【０００２】読書スタンドは、本を載置する書見台と、書見台を保持するスタンドから構成され、寝ながら読むことを目的として様々な工夫が凝らされている。
【先行技術文献】
【特許文献】
【０００３】
【特許文献１】特許公開  ２０１０−０４６１０６  折畳み読書スタンド
【特許文献２】Ｕｎｉｔｅｄ  Ｓｔａｔｅｓ  Ｐａｔｅｎｔ  ３６７４２３１
【非特許文献】
【０００４】
【非特許文献１】リザウンド  読書スタンド  カタログ
【非特許文献２】西川リビング  読書スタンド  楽機２  カタログ
【発明の概要】
【発明が解決しようとする課題】
【０００５】  従来の読書スタンドは、通常、書見台と書見台を保持するスタンドを一体として構成される。本発明の読書スタンドは、仰向けの姿勢でも、上体を起こしても読める読書スタンドを構成するとともに、読書スタンドから書見台を外して、そのまま独立した書見台として使用できるものである。
【課題を解決するための手段】
【０００６】  書見台裏面のほぼ中央部に、書見台の長手方向に平行な挿入孔を有するホルダーを設ける。
断面が円形状を有する、平行部Ａと平行部Ｂを接続する垂直部からなるコ字状のスタンドを形成する。
コ字状スタンドの平行部Ａをホルダーの装着孔に装着し、書見台の下部とコ字状スタンドの平行部Ｂにより、書見台を机上に斜立させる。【０００７】  コ字状スタンドの平行部Ｂを平行部Ａよりも長尺にし、平行部Ｂの端部を書見台の側方に突出させて読書スタンドのアームに挟持する。
【発明の効果】
【０００８】  従来のベッドの頭頂部に設置して使用する読書スタンドは、アームが頭越しに延びて、上方から書見台の裏面に接続する構造が一般的である。
この従来型の読書スタンドは、上体を起こした時に頭上のアームが障害になるので、上体を起こして読書をすることが出来ないという欠点がある。
本発明の読書スタンドは、書見台に付属したスタンドを書見台の側方に突き出すことが出来、その突出し部分を読書スタンドのアームに挟持させることが出来るので、アームが障害にならずに上体を起こすことが出来るものである。
また、コ字状スタンドの平行部Ａと平行部Ｂの間が垂直部でつながっており、例えばその距離が１５ｃｍの場合、読書スタンドのアームに挟持させた平行部Ｂのまわりに、平行部Ａは半径１５ｃｍの円の軌跡を描くことが出来る。このことは即ち平行部Ｂの位置から書見台が上下に３０ｃｍ移動出来ると言うことであり、読書をしながら、至近距離にある挟持部に手を伸ばして書見台の高さや角度を調節できるという効果を合わせ持つものである。
読書スタンドから取り外した書見台は、コ字状のスタンドが付属しているので、即、机上に斜立させて独立した書見台として使用することができるので、効率よく活用することが出来る。
【図面の簡単な説明】
【０００９】
【図１】書見台の正面図
【図２】書見台の右側面図
【図３】読書スタンドの正面図
【図４】読書スタンドの右側面図
【図５】上体を起こして読む時の読書スタンドの正面図
【実施例】
【００１０】  以下、本発明による読書スタンドをベッドの頭頂部に設置した実施例により説明する。
【産業上の利用可能性】
【００１１】  本発明は、ベッドや布団で寝ながら読書をする読書スタンドである。本読書スタンドは、仰向けの姿勢や、上体を起こした姿勢で読書をすることが出来ると共に、書見台を取り外して独立した書見台として使用できるようにすることによって利用価値を向上させたものである。
【発明を実施するための形態】
【００１２】  図１は、本発明を構成する書見台の正面図、図２はその右側面図であり、書見台の裏面を表している。
書見台１の裏面のほぼ中央にはホルダー２が設けられている。ホルダー２には書見台の底辺と平行をなす装着孔３が設けられている。書見台のスタンド５は、断面が円形状になる、平行部Ａ６と平行部Ｂ７および垂直部Ｃ８からなるコ字形の形状になり、平行部Ａ６はホルダー３の装着孔４に挿入される。
【００１３】  図１、図２は、書見台１をテーブル面９上に斜立させた状態を表している。書見台のスタンド５の平行部Ｂ７は、装着孔３に挿入された平行部Ａを中心軸として、垂直部Ｃ８の長さを半径とする回転ができ可能である。従って平行部Ｂ７をテーブル面９に接地してホルダー２の締付ネジ４を締付けて固定することにより、書見台１を任意の角度で斜立させることができる。
【００１４】  図３は本発明の読書スタンドの正面図、図４はその右側面図で、書見台の裏面側から見た図である。
書見台のスタンド５の平行部Ｂ７は、図４に示すように、ホルダー２を装着孔３に挿入した平行部Ａ６の挿入位置により、平行部Ｂ７の端部１１が書見台１の側方端部から突き出るように長尺に形成されている。
【００１５】  図３はベッドなどの頭頂部に設置した読書スタンドを例示したもので、書見台は本を寝ながら読む時に適した斜め下向きになっている。
床面に設置したベース１３から立ち上がった伸縮スタンド１４の先端に中間ジョイント１０が固定され、中間ジョイント１０は、伸縮アームの先端に固定されたジョイント本体１２とその上部の挟持部１６からなり、挟持部１６はジョイント本体１２の下部より固定ネジ１７を中心として回転可能であり、固定ネジ１７の締め付けにより固定される。それ故、固定ネジ１７を緩めることによって、挟持部１６に挟持されたアーム１８は、垂直面の任意の角度に固定することが出来る。
【００１６】  図４は、読書スタンドの書見台取付部を図示している。アーム１８の先端には、先端ジョイント１５が固定される。先端ジョイント１５はジョイント本体１９と挟持部２０により構成され、挟持部２０は、固定ネジ２３を軸として回転可能であり、固定ネジ２３を締付けることによってジョイント本体１９に固定される。
書見台の側方から突き出た平行部Ｂの端部１１を、先端ジョイント１５の挟持部２０に挟持させ、挟持部２０の締付ネジ２１で締め付けて固定する。
【００１７】  以上の構成になる読書スタンドにおいては、読書スタンドの側方に書見台が配置されるので、書見台の前方に位置して読書する人物は、頭頂部から伸びたアームと干渉することなく寝ながら本を読むことが出来る。
書見台のスタンドの垂直部８は、先端ジョイント１５の挟持部２０に挟持された平行部Ｂを中心軸として、任意の角度に固定することが出来ること、および、ホルダー２の締付ネジ４を緩めて書見台１を任意の角度に固定することにより、図５のように、上から見下ろす姿勢で読むことを可能とするものである。
【符号の説明】
【００１８】  １  書見台
２  ホルダー
３  装着孔
４  締付ネジ
５  書見台のスタンド
６  平行部Ａ
７  平行部Ｂ
８  垂直部
９  テーブル面
１０  中間ジョイント
１１  平行部Ｂの端部
１２  ジョイント本体
１３  ベース
１４  伸縮アーム
１５  先端ジョイント
１６  挟持部
１７  固定ネジ
１８  アーム
１９  ジョイント本体
２０  挟持部
２１  締付ネジ
２２  締付ネジ
２３  固定ネジ
【要約】
【課題】従来の読書スタンドは、通常、書見台と書見台を保持するスタンドを一体として構成される。本発明の読書スタンドは、仰向けの姿勢でも、上体を起こしても読める読書スタンドを構成するとともに、読書スタンドから書見台を外して、そのまま独立した書見台として使用できるものである。
【解決手段】  書見台裏面のほぼ中央部に、書見台の左右方向に装着孔を有するホルダーを設ける。
断面が円形状を有する、平行部Ａと平行部Ｂを接続する垂直部からなるコ字状のスタンドを形成する。
コ字状スタンドの平行部Ａをホルダーの装着孔に挿入し、書見台の下部とコ字状スタンドの平行部Ｂにより、書見台を机上に斜立させる。
コ字状スタンドの平行部Ｂを平行部Ａよりも長尺にし、平行部Ｂをホルダーの装着孔に挿入して、平行部Ｂの端部を書見台の側方に突き出し、書見台の前方に配置したスタンドのアームにより平行部Ｂの端部を挟持する。
【選択図】図４【図１】
0004706990.tif 000002
【図２】
0004706990.tif 000003
【図３】
0004706990.tif 000004
【図４】
0004706990.tif 000005
【図５】
0004706990.tif 000006